(57)【特許請求の範囲】
【請求項１】
左右一対のブラケットにスライドレールを介して前後方向移動自在の棚を架設して成るショーケースにおいて、
前記棚の下側に位置して左右のブラケット間に渡る連結部材を備え、この連結部材は、両側部に形成されて略垂直に起立する起立壁と、両起立壁間を結ぶ上壁とから構成されていると共に、前記棚に備えられた回動軸に回動自在に取り付けられ、前端の操作部と後端のフック部とを具備したロック部材と、前記連結部材の起立壁に形成され、前記棚が押し込まれた際に前記ロック部材のフック部が係脱自在に係合する係合孔と、前記フック部を常時前記係合孔に係合する方向に付勢する付勢部材とを更に備えたことを特徴とするショーケースの棚装置。
【発明の詳細な説明】
【０００１】
【発明の属する技術分野】
本発明は、ショーケースの庫内に架設されて引き出し自在の棚装置に関するものである。
【０００２】
【従来の技術】
従来よりこの種ショーケースには商品陳列用の棚が複数段架設されている。これらの棚はブラケットと棚支柱の係合孔との係脱によって上下方向には移動可能であるものの、一般的に前後方向には固定されている。しかしながら、特に棚の奥部に商品を陳列することが困難であるため、従来より例えば特開平５−３２９０３９号公報に示される如き可動棚が開発されていた。
【０００３】
この場合、棚はスライドレールを介してブラケットに取り付けられ、引き出し自在とされており、その下面にはストッパが取り付けられている。そして、ブラケットには係止板が設けられ、前記ストッパはこの係止板に弾性によって係脱自在とされている。そして、棚を引き出す際にはストッパの弾性を利用してそれと係止板との係合を解き、手前側に引き出すと共に、ブラケット側に棚を押し込めば、ストッパが係止板に係合して棚が安定的に保持される構造とされていた。
【０００４】
【発明が解決しようとする課題】
ところで、係る可動棚においては、全体の強度を向上させるため、或いは、内部に冷気ダクトを構成する目的で棚の下側には左右のブラケット間に渡る連結部材が棚と間隔を存して取り付けられるが、そのために下段の可動棚の棚と上段の可能棚の連結部材間の間隔が縮小され、庫内有効容積が削減されると共に、背の高い商品を陳列し難くなる問題があった。
【０００５】
本発明は係る従来の技術的課題を解決するために成されたものであり、引き出し自在の棚を備えたショーケースにおいて、棚間の間隔を拡大して庫内有効容積を拡張できる棚装置を提供するものである。
【０００６】
【課題を解決するための手段】
本発明の棚装置は、左右一対のブラケットにスライドレールを介して前後方向移動自在の棚を架設して成るショーケースに適用され、棚の下側に位置して左右のブラケット間に渡る連結部材を設け、この連結部材を、両側部に形成されて略垂直に起立する起立壁と、両起立壁間を結ぶ上壁とから構成すると共に、棚に備えられた回動軸に回動自在に取り付けられ、前端の操作部と後端のフック部とを具備したロック部材と、連結部材の起立壁に形成され、棚が押し込まれた際にロック部材のフック部が係脱自在に係合する係合孔と、フック部を常時係合孔に係合する方向に付勢する付勢部材とを更に設けたことを特徴とする。
【０００７】
本発明によれば、左右一対のブラケットにスライドレールを介して前後方向移動自在とされた棚の下側に、左右のブラケット間に渡る連結部材を設け、この連結部材を、両側部に形成されて略垂直に起立する起立壁と、両起立壁間を結ぶ上壁とから構成したので、ショーケース内の有効容積が拡張される。特に上下方向の容積拡張が図られるので、背の高い商品も支障無く陳列できるようになると共に、連結部材自体の強度も向上するものである。
【０００８】
更に、棚に備えられた回動軸に回動自在に取り付けられ、前端の操作部と後端のフック部とを具備したロック部材と、連結部材の起立壁に形成され、棚が押し込まれた際にロック部材のフック部が係脱自在に係合する係合孔と、フック部を常時係合孔に係合する方向に付勢する付勢部材とを設けたので、棚が押し込まれた状態では付勢部材の付勢力によりロック部材のフック部は係合孔に係合し、その状態で棚は安定的に保持されると共に、操作部を操作して付勢部材の付勢力に抗してロック部材を回動させればフック部と係合孔との係合は解かれ、棚は引き出し可能となる。
【０００９】
このとき、係合孔は連結部材の起立壁に形成されているので、フック部材を係合保持するための格別な係合部材をブラケットなどに取り付ける必要が無くなり、部品点数の削減によるコストの削減と生産性の向上を図ることができるようになる。
【００１０】
【発明の実施の形態】
以下、図面に基づき本発明の実施形態を詳述する。図１は本発明を適用したショーケース２の斜視図、図２はショーケース２の縦断側面図、図３はショーケース２の棚装置１の縦断側面図、図４は棚装置１のもう一つの縦断側面図、図５は棚装置１の分解斜視図、図６は棚装置１の前部の拡大平断面図、図７は棚装置１の側部の縦断正面図、図８は棚３を引き出した状態の棚装置１の縦断側面図、図９は最下段の棚装置１Ａの斜視図、図１０は最下段の棚装置１Ａの棚３を引き出した状態の斜視図である。
【００１１】
各図において、ショーケース２は前面に開口する断面略コ字状の断熱壁５と、その両側に取り付けられた側板１５によって本体４が構成されており、この断熱壁５の内側に沿って仕切板６が配設され、この仕切板６と断熱壁５間にダクト９が構成されている。また、仕切板６の下端には前方に延在する下部仕切板としてのデックパンカバー１１が設けられており、これら仕切板６及びデックパンカバー１１の内側に貯蔵室８が構成されている。
【００１２】
このデックパンカバー１１上には前方に引き出し自在の棚装置１Ａが設けられると共に、デックパンカバー１１の下方にはダクト９に連通してその一部を構成する下部ダクト１２が構成されている。そして、この下部ダクト１２にはデックパンカバー１１の下側に位置して冷気循環用の送風機１４が設置されると共に、背部のダクト９内下部には冷却装置の冷媒回路を一部を構成する冷却器１３が縦設されている。
【００１３】
貯蔵室８の開口の上縁及び下縁にはダクト９、１２に連通する冷気吐出口１６と冷気吸込口１７がそれぞれ形成されている。そして、送風機１４が運転されると、上側のデックパンカバー１１との間から空気を吸引し、冷却器１３に送給する。この冷却器１３と熱交換して冷却された冷気はダクト９を通り、開口の上縁の冷気吐出口１６から吹き出され、開口にエアーカーテンを形成しながら貯蔵室８を冷却する。このように吹き出された冷気は開口下縁の冷気吸込口１７から下部ダクト１２に帰還し、再び送風機１４に吸い込まれる。
【００１４】
また、棚装置１Ａとデックパンカバー１１の間には少許間隔が形成されており、更にこのデックパンカバー１１には図１０に示す如く複数のスリットから成る底部冷気吸込口１０が形成されている。従って、貯蔵室８内を循環した冷気は棚装置１Ａとデックパンカバー１１間を通ってこの底部冷気吸込口１０からも送風機１４に吸引される。
【００１５】
従って、送風機１４の吸引風量が増大すると共に、騒音も低下する。特に、棚装置１Ａの棚３を図１０に示す如く引き出した際に、この棚３によって冷気吸込口１７の上方が塞がれても、今度はデックパンカバー１１の底部冷気吸込口１０が露出することになるので、冷気の吸引能力が低下することは無くなる。
【００１６】
一方、断熱壁５の下方には機械室１９が構成され、この機械室１９内には前記冷却器１３と共に冷却装置の冷媒回路の一部を構成する圧縮機２０と凝縮器２１及び凝縮器用送風機２２、２２、電装箱５２などが設けられている。この機械室１９の前面はパネル５３によって開閉自在に閉塞されており、このパネル５３の中央部から向かって左側に渡っては、複数のスリットから成る外気吸込口５４が形成されている。また、電装箱５２の操作部はこの外気吸込口５４の向かって右側から前方に臨んでいる。
【００１７】
断熱壁５の背面には間隔を存して背面板５７が取り付けられており、この背面板５７と断熱壁５間には上下に渡る排気通路５８が構成されている。この排気通路５８の下端は機械室１９の後上部に連通しており、排気通路５８の上端は排気口５９にて上方に開放している。
【００１８】
そして、前記凝縮器用送風機２２、２２が運転されると外気が外気吸込口５４から機械室１９内に吸引され、凝縮器２１内に通風される。凝縮器２１内を経てそれを空冷した空気は、凝縮器用送風機２２、２２から後方に吹き出され、機械室１９内を通風される。そして、温度上昇した空気は後上部から排気通路５８に入り、上昇して排気口５９から排出されることになる。
【００１９】
他方、前記貯蔵室８内には上下に複数段の棚装置１・・・が架設されている。この棚装置１は、後端に後方に突出する鉤状の爪２７・・を有した左右一対のブラケット２８、２８と、このブラケット２８の内面板２８Ａの内側にその固定側２９Ａがネジ止めされたスライドレール２９と、このスライドレール２９の可動側２９Ｂがその側壁３Ａにネジ止めされてブラケット２８、２８に前後移動自在に支持された棚３と、棚支柱２５などから構成されている。
【００２０】
棚支柱２５は貯蔵室８内の仕切板６の前面両側に取り付けられ、上下に所定間隔で複数の係合孔２４・・・が穿設されている。そして、隣り合う棚支柱２５、２５間に渡って棚３が左右に二列複数段架設される。ブラケット２８、２８は前記爪２７・・を棚支柱２５の係合孔２４・・に挿入係合させることにより、着脱自在に棚支柱２５に保持される。
【００２１】
前記一対のブラケット２８、２８の内面板２８Ａ、２８Ａには、連結板３０がそれらに渡ってネジ止めされており、この連結板３０によって両ブラケット２８、２８は相互に連結され、補強される。そして、これら内面板２８Ａ、２８Ａ及び連結板３０によって連結部材３１が構成されると共に、この連結部材３１は棚３の下側に所定の間隔を存して位置し、それらの間に冷気通路３２が構成されている。
【００２２】
尚、３４はブラケット２８の外側に取り付けられたネジを隠蔽するためのカバーである。また、内面板２８Ａ、２８Ａには図７に示す如くブラケット２８の近傍側から離間する方向に高く傾斜して立ち上がる傾斜面３３が形成されており、従って、連結板３０は内面板２８Ａの下端よりも高い位置にある。
【００２３】
この傾斜面３３が形成されていることにより、例えば垂直に立ち上げた場合に比して貯蔵室８内の冷気循環は円滑化されると共に、傾斜させない、即ち、立ち上げない場合に比して貯蔵室８の有効貯蔵容積が拡大される。また、外観も向上する。
【００２４】
また、連結板３０は図７の断面に示す如く全体としては略門型を呈しており、両側端の水平な下壁３６と、両下壁３６の内側から略垂直に起立する起立壁３７と、両起立壁３７、３７間を結ぶ上壁３８とから構成されている。そして、前記下壁３６を前記内面板２８Ａの傾斜面３３の上端部にネジ止めすることにより、連結板３０は両ブラケット２８、２８間に渡って取り付けられている。
【００２５】
この連結板３０に起立壁３７が形成されていることにより、連結板３０自体の強度が向上すると共に、下方の棚装置１の棚３と連結板３０との間の距離が拡大され、有効貯蔵容積は更に拡張される。それにより、特に背の高い商品を下方の棚３上に載置する際に支障を来さなくなる。
【００２６】
前記仕切板６には透孔３９が形成されており、この透孔３９は前記冷気通路３２の後端に連通している。また、この冷気通路３２の前端は吹出口４０にて開放しているので、ダクト９内を吹き上げられた冷気は図４に矢印で示す如く透孔３９から冷気通路３２を経て棚装置１の前端の吹出口４０から貯蔵室８内にも吹き出される。
【００２７】
また、連結板３０の起立壁３７の前部には横長の係合孔５６が穿設されている。一方、棚３下面の両側前部にはクランク状の取付板４１が溶接固定されており、各取付板４１、４１には規制部材４２とロック部材４３が取り付けられている。取付板４１には回動軸４４が垂下して設けられており、回動軸４４は前記ロック部材４３の透孔４３Ａに挿入されている。これにより、ロック部材４３はこの回動軸４４の軸方向と直交する水平方向に回動自在に枢支されている。
【００２８】
このロック部材４３の前端には操作部４７が形成され、後端には前記係合孔５６に係脱可能に係合するための鉤状のフック部４８が形成されており、このフック部４８の後面は後部が外側となる傾斜面とされている。この場合、透孔４３Ａの周囲のロック部材４３の幅は図６に示す如く同心円状に拡張されており、これにより、透孔４３Ａ周囲の補強を行っている。また、操作部４７はロック部材４３前端の外側となる面に起立（折曲）形成されている。
【００２９】
また、ロック部材４３の外側にある縦壁４３Ｂには付勢部材としての板バネ５１が取り付けられており、この板バネ５１は後外方に斜めに延在し、棚３の側面３Ａに摺動自在に当接している。
【００３０】
一方、規制部材４２は回動軸４４より後側において下側に開放する略コ字状に屈曲しており、その先端には水平な規制面４２Ａが形成されている。この規制面４２Ａは前記ロック部材４２の上面に摺動自在に当接し、若しくは、上面に近接して対向し、左右に延在している。
【００３１】
また、ロック部材４３の縦壁４３Ｂは図６の如くフック部４８が係合孔５６に係合した回動位置、即ち、棚３の移動する前後方向に指向した初期位置において、規制部材４２の側面に当接する関係とされている。従って、ロック部材４３はこれ以上図６において反時計回りに回動することを阻止される。
【００３２】
尚、前記棚装置１Ａも棚３やスライドレール２９、連結板３０などから構成されており、そのスライド構造及びロック部材４３などの構造は棚装置１と同様であるものとする。
【００３３】
以上の構成で、棚３が図３に示す如く貯蔵室８内に押し込まれている状態では、ロック部材４３のフック部４８は図６に示す如く連結板３０の起立壁３７の係合孔５６に係合している。このとき、板バネ５１は棚３の側面３Ａに当接して突っ張っており、ロック部材４３を図６において回動軸４４を中心として反時計回りに回動するように常時付勢している。従って、フック部４８は板バネ５１により常時係合孔５６に係合するように付勢されている。
【００３４】
これによって、棚３は安定的に保持され、顧客が商品を取り出す際などに、不用意に棚３が手前側に移動してしまうことも防止される。
【００３５】
次に、棚３を貯蔵室８内から手前に引き出す場合には、ロック部材４３の操作部４７を内側（図６では左方向）に押し、図６における時計回りに板バネ５１の付勢力に抗してロック部材４３を回動させれば、フック部４８は係合孔５６から離れ、それらの係合は解かれる。この状態で、棚３は自由となり図８に示す如く手前側に移動可能となる。
【００３６】
その後、再び棚３を貯蔵室８に戻すために押し込んで行くと、やがてロック部材４３のフック部４８の後面が起立壁３７の前縁に当接する。このとき、ロック部材４３は規制部材４１の側面に当接すると共に、板バネ５１に付勢されて前記初期位置にあるので、フック部４８の傾斜面が起立壁３７の前縁に当接することになる。従って、更に棚３を押し込むことにより、ロック部材４３は板バネ５１の付勢力に抗して円滑に図６中時計回りに回動される。
【００３７】
そして、フック部４８が係合孔５６に到達した時点でフック部４８は係合孔５６に係合し、以後棚３は前述の如く板バネ５１の付勢力で安定的に保持される（図６）。
【００３８】
このようなロック部材４３の動作中、規制部材４２の規制面４２Ａはロック部材４３に摺動自在に当接若しくは近接されており、この規制面４２Ａは回動軸４４の軸方向と直交しているので、ロック部材４３の回動はこの規制面４２Ａによってその回動平面（水平面）内に維持される。これにより、ロック部材４３の動作が安定し、係合孔５６との係脱は確実、且つ、円滑なものとなり、棚装置１の安定性と操作性の著しい向上を図ることが可能となる。
【００３９】
また、操作部４７はロック部材４３前端の外側となる面に起立（折曲）形成されているので、使用者には操作部４７を押す方向（内側）が明確となり、操作性が向上する。
【００４０】
【発明の効果】
以上詳述した如く本発明によれば、左右一対のブラケットにスライドレールを介して前後方向移動自在とされた棚の下側に、左右のブラケット間に渡る連結部材を設け、この連結部材を、両側部に形成されて略垂直に起立する起立壁と、両起立壁間を結ぶ上壁とから構成したので、ショーケース内の有効容積が拡張される。特に上下方向の容積拡張が図られるので、背の高い商品も支障無く陳列できるようになると共に、連結部材自体の強度も向上するものである。
【００４１】
更に、棚に備えられた回動軸に回動自在に取り付けられ、前端の操作部と後端のフック部とを具備したロック部材と、連結部材の起立壁に形成され、棚が押し込まれた際にロック部材のフック部が係脱自在に係合する係合孔と、フック部を常時係合孔に係合する方向に付勢する付勢部材とを設けたので、棚が押し込まれた状態では付勢部材の付勢力によりロック部材のフック部は係合孔に係合し、その状態で棚は安定的に保持されると共に、操作部を操作して付勢部材の付勢力に抗してロック部材を回動させればフック部と係合孔との係合は解かれ、棚は引き出し可能となる。
【００４２】
このとき、係合孔は連結部材の起立壁に形成されているので、フック部材を係合保持するための格別な係合部材をブラケットなどに取り付ける必要が無くなり、部品点数の削減によるコストの削減と生産性の向上を図ることができるようになる。
【図面の簡単な説明】
【図１】  本発明を適用したショーケースの斜視図である。
【図２】  本発明を適用したショーケースの縦断側面図である。
【図３】  本発明を適用したショーケースの棚装置の縦断側面図である。
【図４】  棚装置のもう一つの縦断側面図である。
【図５】  棚装置の分解斜視図である。
【図６】  棚装置の前部の拡大平断面図である。
【図７】  棚装置の側部の縦断正面図である。
【図８】  棚を引き出した状態の棚装置の縦断側面図である。
【図９】  最下段の棚装置の斜視図である。
【図１０】  最下段の棚装置の棚を引き出した状態の斜視図である。
【符号の説明】
１、１Ａ  棚装置
３  棚
２８  ブラケット
２８Ａ  内面板
２９  スライドレール
３０  連結板
３１  連結部材
３３  傾斜面
３７  起立壁
３８  上壁
４２  規制部材
４２Ａ  規制面
４３  ロック部材
４４  回動軸
４７  操作部
４８  フック部
５１  板バネ
５６  係合孔
【図１】
0003806538.tif 000002
【図２】
0003806538.tif 000003
【図３】
0003806538.tif 000004
【図４】
0003806538.tif 000005
【図５】
0003806538.tif 000006
【図６】
0003806538.tif 000007
【図７】
0003806538.tif 000008
【図８】
0003806538.tif 000009
【図９】
0003806538.tif 000010
【図１０】
0003806538.tif 000011